【手続補正書】
【提出日】平成17年10月19日(2005.10.19)
【手続補正１】
【補正対象書類名】明細書
【補正対象項目名】特許請求の範囲
【補正方法】変更
【補正の内容】
【特許請求の範囲】
【請求項１】
Ｒ（赤）光用、Ｇ（緑）光用、Ｂ（青）光用にそれぞれ配置された反射型ライトバルブと、
前記各色光用の反射型ライトバルブから変調されて射出された各色光を検光して取り出す各色光毎に配置された偏光ビームスプリッタと、
前記各色光用の偏光ビームスプリッタを射出する検光光をそれぞれ異なる面から入射させ、互いに直交するＲ光反射特性を有するＲ光反射ダイクロイック膜とＢ光反射特性を有するＢ光反射ダイクロイック膜を有し、Ｒ光は前記Ｒ光反射ダイクロイック膜にて反射、Ｂ光は前記Ｂ光反射ダイクロイック膜にて反射、Ｇ光は前記Ｒ光反射ダイクロイック膜と前記Ｂ光反射ダイクロイック膜を透過させることにより、各色光を色合成して合成光を射出するクロスダイクロイックプリズムと、
前記合成光を円偏光に変換する１／４波長位相板と、
前記円偏光に変換された合成光を投射する投射光学系と、
を有する投射型表示装置において、
前記各色光用の偏光ビームスプリッタを射出して前記クロスダイクロイックプリズムに入射するＲ光とＢ光は前記ダイクロイックプリズムの前記Ｒ光反射ダイクロイック膜と前記Ｂ光反射ダイクロイック膜に対してＳ偏光であり、Ｇ光は前記Ｒ光反射ダイクロイック膜と前記Ｂ光反射ダイクロイック膜に対してＰ偏光であり、
前記各色光用の偏光ビームスプリッタの偏光分離面と前記クロスダイクロイックプリズム間の各色の光路のうち、少なくとも一つの色光の光路中に配置され、前記投射光学系に入射した前記合成光のうち前記投射光学系を構成するレンズ部材の表面で反射され、前記１／４波長位相板を経由して前記クロスダイクロイックプリズムに入射して前記Ｒ光反射ダイクロイック膜と前記Ｂ光反射ダイクロイック膜に入射して前記Ｒ光反射ダイクロイック膜と前記Ｂ光反射ダイクロイック膜を透過して前記Ｇ光の光路を逆行するＲ光またはＢ光を、または前記２枚のダイクロイック膜の少なくとも一方に反射されて前記Ｒ光または前記Ｂ光の光路を逆行するＧ光を、反射させて光路外に偏向させるダイクロイック膜を有すること、
を特徴とする投射型表示装置。
【請求項２】
請求項１に記載の投射型表示装置において
前記各色光用の偏光ビームスプリッタの偏光分離面と前記クロスダイクロイックプリズム間の各色の光路のうち、少なくとも一つの色光の光路中に配置されるダイクロイック膜は、前記偏光ビームスプリッタと前記クロスダイクロイックプリズムの間の光路中に配置されること
を特徴とする投射型表示装置。
【請求項３】
複数の色光毎に配置された反射型ライトバルブと、
前記複数の色光を偏光分離部で偏光分離して前記反射型ライトバルブに射出し、前記反射型ライトバルブから射出された光を前記偏光分離部で検光する少なくとも２つの偏光ビームスプリッタと、
前記偏光ビームスプリッタを射出する検光光をそれぞれ異なる面から入射させ、内部に少なくとも１枚の色合成ダイクロイック膜を有し、前記複数の色光を色合成して合成光を射出する色合成プリズムと、
前記色合成プリズムで色合成された光を投射する投射レンズと、
前記色合成プリズムと前記投射レンズの間に配置された１／４波長位相板と、
前記偏光ビームスプリッタの偏光分離面と前記色合成プリズム間の各色の光路のうち、少なくとも一つの色光の光路中に配置され、前記各色光のうち前記少なくとも一つの色光以外の色光の少なくとも一つの色光を反射し、光路外に偏向させるダイクロイック膜とを有すること、
を特徴とする投射型表示装置。
【請求項４】
前記ダイクロイック膜は、前記色合成プリズムを射出し前記１／４波長位相板を経て前記投射レンズに入射した合成光のうち、前記投射レンズで反射され前記１／４波長位相板を通過して前記色合成プリズムに入射し、前記色合成ダイクロイック膜を透過または反射して他の色光の光路を逆行する色光を反射し光路外に偏向させること
を特徴とする請求項３に記載の投射型表示装置。
【請求項５】
Ｒ（赤）光用、Ｇ（緑）光用、Ｂ（青）光用にそれぞれ配置された反射型ライトバルブと、
前記Ｒ（赤）光用、Ｇ（緑）光用、Ｂ（青）光を偏光分離部で偏光分離して前記反射型ライトバルブに射出し、前記反射型ライトバルブから射出された光を前記偏光分離部で検光する前記各色光毎に配置された偏光ビームスプリッタと、
前記各色光用の偏光ビームスプリッタを射出する検光光をそれぞれ異なる面から入射させ、互いに直交するＲ光反射特性を有するＲ光反射ダイクロイック膜とＢ光反射特性を有するＢ光反射ダイクロイック膜を有し、Ｒ光は前記Ｒ光反射ダイクロイック膜にて反射、Ｂ光は前記Ｂ光反射ダイクロイック膜にて反射、Ｇ光は前記Ｒ光反射ダイクロイック膜と前記Ｂ光反射ダイクロイック膜を透過させることにより、各色光を色合成して合成光を射出するクロスダイクロイックプリズムと、
前記クロスダイクロイックプリズムで色合成された光を投射する投射レンズと、
前記クロスダイクロイックプリズムと前記投射レンズの間に配置された１／４波長位相板と、
前記各色光用の偏光ビームスプリッタの偏光分離面と前記クロスダイクロイックプリズム間の各色の光路のうち、少なくとも一つの色光の光路中に配置され前記各色光のうち前記少なくとも一つの色光以外の色光の少なくとも一つの色光を反射し、光路外に偏向させるダイクロイック膜とを有すること、
を特徴とする投射型表示装置。
【請求項６】
前記ダイクロイック膜は、前記クロスダイクロイックプリズムを射出し前記１／４波長位相板を経て前記投射レンズに入射した合成光のうち、前記投射レンズで反射され前記１／４波長位相板を通過して前記クロスダイクロイックプリズムに入射し、前記Ｒ光反射ダイクロイック膜または前記Ｂ光反射ダイクロイック膜を透過または反射して他の色光の光路を逆行する色光を反射し光路外に偏向させること
を特徴とする請求項５に記載の投射型表示装置。
【請求項７】
前記ダイクロイック膜は、Ｇ光用の偏光ビームスプリッタの偏光分離面と前記クロスダイクロイックプリズム間の光路に配置され、Ｓ偏光で前記Ｒ光反射ダイクロイック膜に入射して反射され、前記１／４波長位相板を経て前記投射レンズに入射し、前記投射レンズで反射され前記１／４波長位相板でＰ偏光に変換されて前記Ｒ光反射ダイクロイック膜に入射して透過するＲ光を反射するダイクロイック膜であること
を特徴とする請求項６に記載の投射型表示装置。
【請求項８】
前記ダイクロイック膜は、Ｇ光用の偏光ビームスプリッタの偏光分離面と前記クロスダイクロイックプリズム間の光路に配置され、Ｓ偏光で前記Ｂ光反射ダイクロイック膜に入射して反射され、前記１／４波長位相板を経て前記投射レンズに入射し、前記投射レンズで反射され前記１／４波長位相板でＰ偏光に変換されて前記Ｂ光反射ダイクロイック膜に入射して透過するＢ光を反射するダイクロイック膜であること
を特徴とする請求項６に記載の投射型表示装置。
【請求項９】
前記ダイクロイック膜は、Ｒ光用の偏光ビームスプリッタの偏光分離面と前記クロスダイクロイックプリズム間の光路に配置され、Ｐ偏光で前記Ｒ光反射ダイクロイック膜に入射して反射され、前記１／４波長位相板を経て前記投射レンズに入射し、前記投射レンズで反射され前記１／４波長位相板でＳ偏光に変換されて前記Ｒ光反射ダイクロイック膜に入射して反射されるＧ光を反射するダイクロイック膜であること
を特徴とする請求項６に記載の投射型表示装置。
【請求項１０】
前記ダイクロイック膜は、Ｂ光用の偏光ビームスプリッタの偏光分離面と前記クロスダイクロイックプリズム間の光路に配置され、Ｐ偏光で前記Ｂ光反射ダイクロイック膜に入射して反射され、前記１／４波長位相板を経て前記投射レンズに入射し、前記投射レンズで反射され前記１／４波長位相板でＳ偏光に変換されて前記Ｂ光反射ダイクロイック膜に入射して反射されるＧ光を反射するダイクロイック膜であること
を特徴とする請求項６に記載の投射型表示装置。
【請求項１１】
前記各色光用の偏光ビームスプリッタの偏光分離面と前記クロスダイクロイックプリズム間の各色の光路のうち、少なくとも一つの色光の光路中に配置されるダイクロイック膜は、前記偏光ビームスプリッタと前記クロスダイクロイックプリズムの間の光路中に配置されること
を特徴とする請求項６に記載の投射型表示装置。
【請求項１２】
前記偏光ビームスプリッタを射出して前記クロスダイクロイックプリズムに入射するＲ光とＢ光は、前記ダイクロイックプリズムの前記Ｒ光反射ダイクロイック膜と前記Ｂ光反射ダイクロイック膜に対してＳ偏光で、Ｇ光は前記Ｒ光反射ダイクロイック膜と前記Ｂ光反射ダイクロイック膜に対してＰ偏光であること
を特徴とする請求項６に記載の投射型表示装置。
【請求項１３】
前記Ｒ光反射ダイクロイック膜は、Ｐ偏光光に関してＲ光とＧ光との境界に反射−透過の境界波長を有すること
を特徴とする請求項６に記載の投射型表示装置。
【請求項１４】
前記各色光用の偏光ビームスプリッタの偏光分離面と前記クロスダイクロイックプリズム間の各色の光路のうち、少なくとも一つの色光の光路中に配置されるダイクロイック膜は、前記偏光ビームスプリッタ中に前記偏光分離面と相対して配置されること
を特徴とする請求項６に記載の投射型表示装置。
【請求項１５】
前記複数の色光は、Ｒ光、Ｇ光、Ｂ光であり、
前記偏光ビームスプリッタは、Ｇ光用に配置されたＧ光用偏光ビームスプリッタと、Ｒ光とＢ光用に配置されたＲ光Ｂ光用偏光ビームスプリッタであり、
前記Ｒ光とＢ光とはＲ光の偏光方向を９０度回転させる偏光回転素子を経由して前記Ｒ光Ｂ光用偏光ビームスプリッタに入射し、
前記ダイクロイック膜は、前記Ｒ光Ｂ光用偏光ビームスプリッタと前記色合成プリズム間の光路に配置され、Ｐ偏光で前記色合成ダイクロイック膜に入射して透過し、前記１／４波長位相板を経て前記投射レンズに入射し、前記投射レンズで反射され前記１／４波長位相板でＳ偏光に変換されて前記色合成ダイクロイック膜で反射されるＧ光を反射するダイクロイック膜であること
を特徴とする請求項４に記載の投射型表示装置。